(57)【要約】【課題】写真フイルムパトローネ内のスペースを有効活用して、カメラを小型化する。【解決手段】パトローネ２５は、上蓋４９，スプール５０，本体筒５６、底蓋５７により構成される。スプール５０は導電性を有し、内部には電池６９が収納され、リブ７０，７１により保持されている。リブ７１は導電性を有し、電池６９のプラス端子６９ｂと接触している。リブ７０は、電池６９のマイナス端子６９ａを露呈する開口７０ａが設けられている。開口７０ａには、導電性を有する巻上げノブ１１が係合し、電池６９のマイナス端子と、巻上げノブ１１の接点１１ａが接触する。スプール５０には接片４１が、巻上げノブ１１には、接片４２がそれぞれ接続されている。この接片４１，４２よりカメラに電源を供給する。【選択図】　　　図３
2004118059.tif 000002
【特許請求の範囲】
【請求項１】
写真フイルムと、この写真フイルムを光密に収納するパトローネとからなる写真フイルムパトローネにおいて、
前記パトローネには、その内部にカメラ本体に設けられた電気回路へ給電する電池が収納されており、さらに、前記電気回路と、前記電池の端子とを電気的に接続させるための接続部が設けられていることを特徴とする写真フイルムパトローネ。
【請求項２】
前記パトローネには、写真フイルムが巻き付けられるスプールが設けられており、このスプールに、前記電池を収納するとともに、前記接続部を設けたことを特徴とする請求項１記載の写真フイルムパトローネ。
【請求項３】
請求項１もしくは２記載の写真フイルムパトローネを用いたことを特徴とするレンズ付きフイルムユニット。
【発明の詳細な説明】
【０００１】
【発明の属する技術分野】
本発明は、電池を収納した写真フイルムパトローネ及び、これを用いたレンズ付きフイルムユニットに関する。
【０００２】
【従来の技術】
従来の写真フイルムパトローネとしては、１３５タイプや、ＡＰＳ（Ａｄｖａｎｃｅｄ　Ｐｈｏｔｏ　Ｓｙｓｔｅｍ）　タイプの写真フイルムパトローネが知られている。これらの写真フイルムパトローネでは、円筒状のスプールにフイルムを巻き付けている。スプールはフイルムの折れや変形を防止し品質を保つために一定の径を持たせたものが使用される。スプールの円筒内部は、空洞になっていたり、フイルムを係止するための溝などが設けられている。スプールは、遮光性を有するケースに収納されフイルムが露光しないようになっている。
【０００３】
パトローネの形状は、汎用性を高めるために、内部に収納されるフイルムの長さ（撮影可能枚数）に関わらず、１３５タイプ、ＡＰＳタイプによって固有のものである。このため、パトローネ内部でフイルムの占める体積の割合は、フイルムの長さによって異なったものになっている。
【０００４】
また、製造段階で上述したような写真フイルムパトローネが予め装填され手軽に撮影が行えるカメラとしてレンズ付きフイルムユニットが本出願人により販売されている。このレンズ付きフイルムユニットは、用途に応じて様々な機種があるが、その中でも、夜間や室内などの暗い場所での撮影を可能にするためにストロボ機能を備えたものが広く普及している。
【０００５】
【発明が解決しようとする課題】
しかしながら、従来の写真フイルムパトローネは、小型化が進むカメラに対して大きな容積を占めているにもかかわらず、内部には有効活用されていないスペースが存在しており、カメラの小型化を妨げる原因となっていた。また、レンズ付きフイルムユニットにおいては、ストロボ装置に電源を供給するために電池が収納されるが、この電池がレンズ付きフイルムユニットの小型化を妨げていた。
【０００６】
本発明は、上記問題点を考慮してなされたもので、カメラの小型化に貢献できる写真フイルムパトローネ、及び、これを用いたレンズ付きフイルムユニットを提供することを目的とする。
【０００７】
【課題を解決するための手段】
上記目的を達成するために、本発明の写真フイルムパトローネは、写真フイルムと、この写真フイルムを光密に収納するパトローネとからなる写真フイルムパトローネにおいて、前記パトローネには、その内部にカメラ本体に設けられた電気回路へ給電する電池が収納されており、さらに、前記電気回路と、前記電池の端子とを電気的に接続させるための接続部が設けられていることを特徴としている。
【０００８】
前記電池を、写真フイルムが巻き付けられるスプールに収納し、前記接続部を、このスプールに設けてもよい。また、このように電池を収納した写真フイルムパトローネをレンズ付きフイルムユニットに用いてもよい。
【０００９】
【発明の実施の形態】
本発明を実施したレンズ付きフイルムユニットの外観を図１に示す。レンズ付きフイルムユニット１は、簡単な撮影機構、ストロボ装置等を内蔵したユニット本体２と、このユニット本体２に巻き付けられた外装体３とからなる。
【００１０】
ユニット本体２の前面には、撮影レンズ４，ファインダ５の対物側窓５ａ，ストロボ装置のストロボ発光部７と充電ボタン８が設けられている。また、上面には、レリーズボタン９，撮影可能な残りコマ数を表示するカウンタ窓１０が設けられている。さらに、ユニット本体２の背面側には、１コマの撮影ごとに回転操作される巻上げノブ１１が露呈されている。
【００１１】
このレンズ付きフイルムユニット１は、巻上げノブ１１を回転操作することでフイルムが巻上げられ、レリーズボタン９の押圧操作で撮影が行われる。充電ボタン８を押圧操作すると、ストロボ発光のための充電が行われ、充電完了後にレリーズボタン９を押圧操作すると、撮影に同期してストロボ発光部７から被写体に向けてストロボ光が照射される。
【００１２】
図２に示すように、ユニット本体２は、撮影機構やストロボ装置２３が組み付けられる本体基部２０と，この本体基部２０を前後から覆う前カバー２１，及び、後カバー２２とからなる。ユニット本体２には、写真フイルムパトローネ３３が製造時に予め装填されている。
【００１３】
写真フイルムパトローネ３３は、写真フイルム２４とパトローネ２５とからなる。この写真フイルムパトローネ３３は、パトローネ２５から未露光の写真フイルム２４を引き出し、これをロール状に巻いた状態でユニット本体２に装填される。
【００１４】
本体基部２０の両側には、ロール状に巻かれた写真フイルム２４を収納するフイルム室２６と、パトローネ２５を収納するパトローネ室２７とが一体に設けられている。パトローネ室２７の上面には開口２７ａが設けられている。パトローネ２５は、スプール５０の上端部５０ａを、この開口２７ａから突出させた状態でパトローネ室２７に収納される。
【００１５】
また、本体基部２０の中央には、写真フイルム２４上での撮影コマのサイズ、すなわち露光画面を画定するアパーチャ２０ａが形成されている。このアパーチャ２０ａの前面には、露光ユニット２８が組み付けられる。
【００１６】
露光ユニット２８は、撮影レンズ４から写真フイルム２４までの間の撮影光路を遮光する暗箱２９をベースとして、この暗箱２９の外側にレリーズボタン９の押圧操作に応答してシャッタ羽根を駆動するシャッタ機構や、撮影可能な残りコマ数を表示するフイルムカウンタ機構等を構成する各種部品や、撮影レンズ４，ファインダ５のレンズ等を組み付けたものである。
【００１７】
前カバー２１には、ファインダ５の対物側窓５ａ，充電ボタン８，レリーズボタン９が形成されている他、撮影レンズ４，ストロボ発光部７を露呈するための開口が形成されている。後カバー２２には、底蓋３１，３２が形成されている。これらの底蓋３１，３２は、フイルム室２６とパトローネ室２７の底部を光密に閉じる。底蓋３２は、パトローネ室２７の取出し蓋となっており、撮影済の写真フイルム２４を収納した写真フイルムパトローネ３３を取り出す際に開かれる。
【００１８】
ストロボ装置２３は、ストロボ回路基板３７にストロボ発光部７，シンクロスイッチ３８，メインコンデンサ３９，ストロボ装置２３に電源を供給するための金属製の接片４１，４２等が組み付けられてユニット化されている。充電スイッチ４３は、前カバー２１とストロボ回路基板３７と間に配された金属片４３ａが充電ボタン８の押圧で弾性変形し、ストロボ回路基板３７上の一対の接点４３ｂに接触することによりオンとなる。充電スイッチ４３がオンすると、メインコンデンサ３９の充電が開始される。
【００１９】
シンクロスイッチ３８は、上下に並べて配された一対の接片からなる。シャッタ機構が作動すると、シャッタ羽根が上側の接片をたたいて、両接片を接触させる。これにより、シンクロスイッチ３８がオンする。このシンクロスイッチ３８がオンすると、メインコンデンサ３９が放電されてストロボ発光部７からストロボ光が放出される。
【００２０】
接片４１，４２は、細長い金属板であり、本体基部２０の上方を通ってパトローネ室２７に向かって延びている。接片４１，４２の端部は、パトローネ室２７の上部に配置される。接片４１の端部は、開口２７ａから突出した上端部５０ａの外周面に接触するように配置され、接片４２の端部は、巻上げノブ１１の下面に接触するように配置される。
【００２１】
後述するように、接片４１はスプール５０を介して電池のプラス端子に接続され、接片４２は巻上げノブ１１を介して電池のマイナス端子に接続される。そして、これら接片４１，４２よりストロボ装置２３に電源が供給される。なお、接片４１，４２は細長い金属板としたが、端部のみを金属板にして、端部とストロボ回路基板３７とをリード線などを用いて接続してもよい。
【００２２】
巻上げノブ１１は、パトローネ室２７の上部に回転自在に配されており、その下部には軸１１ｂが一体に設けられている。軸１１ｂは、スプール５０を回転させるための駆動軸であり、スプール５０と係合する。この係合により、巻上げノブ１１を矢線方向に回転操作すると、スプールが回転し、写真フイルム２４の撮影済みの部分がパトローネ２５内に巻き上げられるとともに、未露光の部分がアパーチャ２０ａの背後にセットされる。また、巻上げノブ１１は導電性を有しており、軸１１ｂの下端には、電池のマイナス端子と接触する接点１１ａが設けられている　。
【００２３】
図３に示すように、パトローネ２５は、写真フイルム２４を巻き取るためのスプール５０と、写真フイルム２４を光密に収納する本体筒５６と、本体筒５６の上端及び下端を覆う上蓋４９，底蓋５７とからなる。本体筒５６は円形に丸められた金属薄板からなり、その両端を円筒面の接線方向に折り曲げてフイルム給送口が形成される。その内側には、遮光用のテレンプ５９が設けられている。
【００２４】
上蓋４９と底蓋５７には、スプール５０の上端部及び下端部が挿入されてスプール５０を回転自在に保持するための開口部４９ａ，５７ａが形成されている。スプール５０の上下両端部は、開口部４９ａ，５７ａよりそれぞれ外部に突出する。底蓋５７に形成された嵌合溝５７ｂは、本体筒５６の底部開口端に嵌め込まれ、同様に上蓋４９の嵌合溝が本体筒５６の上部開口端に嵌め込まれる。上蓋４９と底蓋５７は、本体筒５６に嵌め込まれた後にカシメられて抜け止めされる。
【００２５】
スプール５０は、写真フイルム２４が巻き付けられる円筒形のスプール本体６０と、開口部４９ａ，５７ａから本体筒５６へ光が進入することを防ぐ遮光フランジ６１とから構成されている。スプール本体６０の側面には、円筒の長手方向に沿ってフイルム挿入口６３が設けられている。一方、写真フイルム２４の先端部分には、２つの係止穴６５が設けられている。
【００２６】
図４に示すように、フイルム挿入口６３は、スプール本体６０を貫通しており、フイルム挿入口６３より挿入された写真フイルム２４は、電池６９と、スプール本体６０に挟持される。さらに、フイルム挿入口６３には、係止フック６７が設けられており、写真フイルム２４は、係止穴６５と係止フック６７がかみ合うことによりその一端がスプール５０に係止される。
【００２７】
フイルム挿入口としては、スプール本体６０を貫通させず、スプール本体６０の外周に沿うように溝を設けてもよいが、上記構成の方がスプール本体を薄くでき、より大きな電池を収納できる。なお、写真フイルムを係止するのに係止穴とフックを用いたが、この方法以外にも、例えば、テープなどで係止するようにしてもよい。
【００２８】
図５，図６に示すように、スプール５０には、ストロボ装置２３へ給電する電池６９が収納される。電池６９としては、スプール本体６０内に収納できるような大きさをもつ専用の電池が使用される。電池６９は、スプール本体６０内に、マイナス端子６９ａを上にして収納される。スプール本体６０の両端からは、電池６９のマイナス端子６９ａ側にリブ７０が、プラス端子６９ｂ側にリブ７１がそれぞれ嵌め込まれる。リブ７０，７１は、電池６９に圧接し、電池６９をスプール本体６０内部に保持する。
【００２９】
リブ７０には、電池６９のマイナス端子６９ａを露呈する四角形の開口７０ａが設けられている。この開口７０ａには、巻上げノブ１１の軸１１ｂが嵌入される。これにより、リブ１１を介して巻上げノブ１１の回転がスプール５０に伝達されるとともに、接点１１ａとマイナス端子６９ａが接続される。これによって、マイナス端子６９ａと、巻上げノブ１１に接触している接片４２とが電気的に接続される。
【００３０】
リブ７１とスプール５０の材料には、導電性を有する金属が使用される。これにより、リブ７１に接触しているプラス端子６９ｂと、スプール５０に接触している接片４１とが電気的に接続される。接片４１には、電池６９のプラス端子６９ｂが、接片４２には電池６９のマイナス端子６９ａがそれぞれ電気的に接続されるので、ストロボ装置２３に電源が供給される。このように、開口７０ａは、マイナス端子６９ａとストロボ回路を電気的に接続する接続部として機能し、他方、上端部５０ａは、プラス端子６９ｂとストロボ回路を電気的に接続する接続部として機能する。
【００３１】
巻上げノブ１１は負電荷を帯び、スプール５０は正電荷を帯びているので、巻上げノブ１１とスプール５０の間は絶縁されていなければならない。このため、巻上げノブ１１とスプール５０の両方と接触するリブ７０は、絶縁性を有する材料で形成される。また、軸１１ｂは、この軸１１ｂを、接点１１ａとマイナス端子６９ａが接続されるまで開口７０ａに挿入した場合でも、巻上げノブ１１とスプール５０との間に十分な隙間が空くような長さにしてある。これらにより、巻上げノブ１１とスプール５０との間の絶縁が確保される。
【００３２】
このように、パトローネの内部に電池を内蔵させたので、レンズ付きフイルムユニット内に電池を配置するためのスペースを設ける必要がない。また、従来のパトローネの形状を変更することなく電池を内蔵させたので、レンズ付きフイルムユニットの小型化が可能である。さらには、市販されている通常の写真フイルムパトローネを使用してもストロボが発光しないので、フイルム詰め替えによる使用済みレンズ付きフイルムユニットの不適正な流用を防ぐことができる。
【００３３】
上記実施形態では、スプールの上部の開口より負電荷を、スプール本体より正電荷を取り出す例で説明をしたが、これに限られず、例えば、スプール上端より正電荷を、スプール下端より負電荷をそれぞれ取り出す、といったようにパトローネの任意の場所から各電荷を取り出すことが可能である。
【００３４】
また、スプール内部に電池を収納する例で説明をしたが、これに限られず、例えば板状の電池を本体筒内側に張り付けて配置することなどが考えられる。この場合、本体筒の内側には写真フイルムが収納されているが、写真フイルムの長さによって本体筒の内側にはスペースができるので、そのスペースに板状の電池を配置すればよい。また、この板状の電池とスプール内部の電池の両方を使用するようにしてもよい。なお、パトローネ内に収納する専用電池の形状は、上記のものに限られず、例えば、スプールの形状をした電池などでもよい。
【００３５】
上記実施形態では、１３５タイプのパトローネについて説明をしたが、本発明はこれに限られず、ＡＰＳタイプのパトローネについても実施可能である。また、本発明のパトローネを、レンズ付きフイルムユニットについて使用する例で説明をしたが、例えば、コンパクトカメラなどのカメラにおいても実施可能である。この場合は、カメラのパトローネ収納部に、写真フイルムパトローネに設けられた給電用の接続部と接触する専用の端子を設け、そこから電源を供給するようにすればよい。
【００３６】
なお上記実施形態では、写真フイルムパトローネ内の電池からストロボ装置に電源を供給する例で説明をしたが、本発明はこれに限られず、その他の電気回路、例えば、絞り切り替え、ピント調節などに用いられるモータを駆動する駆動回路、測距回路、測光回路などに用いられる測定回路などの各種電気回路に対して電源を供給するようにしてもよい。
【００３７】
【発明の効果】
以上詳細に説明したように、本発明の写真フイルムパトローネによれば、写真フイルムパトローネ内に電池を収納したので、カメラ本体やレンズ付きフイルムユニットに電池の収納スペースを別途設けなくて済むので、カメラ本体やレンズ付きフイルムユニットを小型化することができる。
【図面の簡単な説明】
【図１】レンズ付きフイルムユニットの外観斜視図である。
【図２】ユニット本体の分解図である。
【図３】写真フイルムパトローネの分解図である
【図４】パトローネ本体の断面図である。
【図５】スプールと接片との接続について示す説明図である。
【図６】パトローネの断面図である。
【符号の説明】
１　レンズ付きフイルムユニット
１１　巻上げノブ
１１ａ　接点
２３　ストロボ装置
２４　写真フイルム
２５　パトローネ
３３　写真フイルムパトローネ
４１，４２　接片
５０　スプール
５０ａ　上端部
６９　電池
６９ａ　マイナス端子
６９ｂ　プラス端子
７０，７１　リブ
７０ａ　開口
【図１】
2004118059.tif 000003
【図２】
2004118059.tif 000004
【図３】
2004118059.tif 000005
【図４】
2004118059.tif 000006
【図５】
2004118059.tif 000007
【図６】
2004118059.tif 000008